(57)【要約】【課題】Ｌ型断面などの非対称型のコンクリートブロック用の吊り具において、吊り上げ時のコンクリートブロックの姿勢を規制するための機器を採用して安全な吊り上げ作業を可能とする。【解決手段】吊り具１０は、吊りビーム１と、この吊りビーム１に垂下された門型フレーム３と、この門型フレーム３の両縦部材４の中間部にそれぞれ進退可能に設けられ先端のボール５ｄが吊り上げ対象のコンクリートブロックＣに当接する当接部材５と、両縦部材４の下端部にそれぞれ設けられ吊り上げ対象のコンクリートブロックＣに形成された貫通孔Ｈに挿入される棒状体６と、この棒状体６の先端に係止される抜け止め部材７とを備えている。【選択図】　　　　図１
2004115187.tif 000002
【特許請求の範囲】
【請求項１】
吊りビームと、この吊りビームに垂下された門型フレームと、この門型フレームの両縦部材の中間部にそれぞれ進退可能に設けられ先端が吊り上げ対象のコンクリートブロックに当接する当接部材と、両縦部材の下端部にそれぞれ設けられ吊り上げ対象のコンクリートブロックに形成された貫通孔に挿入される棒状体と、この棒状体の先端に係止される抜け止め部材とを備えたコンクリートブロック吊り具。
【請求項２】
前記当接部材を、基端部に雄ねじを形成した棒状体とし、前記門型フレームの縦部材に設けた雌ねじ部に螺合させることによって縦部材から進退可能とする構成とした請求項１記載のコンクリートブロック吊り具。
【請求項３】
ねじ付きロッドとターンバックルを組合せた吊り下げ用ロッドを用いて前記吊りビームから前記門型フレームを垂下させる構成とした請求項１または２記載のコンクリートブロック吊り具。
【発明の詳細な説明】
【０００１】
【発明の属する技術分野】
本発明はコンクリートブロックの吊り具、とくに断面Ｌ型のコンクリートブロックの搬送、移動に好適に使用される吊り具に関する。
【０００２】
【従来の技術】
従来、コンクリートブロックの搬送や移動に際して、コンクリートブロック全体にワイヤを掛け回し、このワイヤをクレーンで吊り上げたり、コンクリートブロックの適所に設けられた貫通孔に金属棒を差し込み、その両側をチェーンブロックで保持して吊り上げたりしていた。
【０００３】
しかしながら、ワイヤ掛けによる吊り上げは、ワイヤがコンクリートブロックから外れてしまう危険性があり、その操作も面倒であり、また、貫通孔利用の方法は、吊り上げる際の重心位置がわかりにくく、バランスが取りにくいという問題がある。
【０００４】
このような問題を解消するものとして、図４に示すような吊り具が提案されている。この吊り具は、倒立Ｌ字形の吊り具本体５１と、吊り具本体５１の支柱部５２下端に固定した、コンクリートブロック６１に設けた貫通孔６２に差し込むフック棒５３と、フック棒５３の先端に着脱自在に設けた抜け止め用ガイド５４と、吊り具本体５１上部のアーム部５５に所定の間隔で配設した複数の重心調節孔５６および支柱部５２上端に設けた第１のターンバックル取付孔５７と、重心調節孔５６に着脱自在に取り付けられ、上部に第２のターンバックル取付孔７２を形成した吊り上げ手段７１と、各ターンバックル取付孔間を連結するターンバックル７３とを有する吊り具５０である。
【０００５】
この吊り具５０によれば、吊り具５０がコンクリートブロック６１から外れることがなく、その取扱いや操作がしやすい。また、コンクリートブロック６１を吊り上げる際に重心位置を簡単に調整することができ、バランスが取りやすくて積み上げや移動、搬送、荷積みなどが迅速に行える、とされている（特許文献１参照）。
【０００６】
【特許文献１】
特開平８−１３３６６１号公報（請求項１，段落番号００２４，００２５、図１）
【０００７】
【発明が解決しようとする課題】
ところで、コンクリートブロックには各種の形状があり、一般に建築関係には板状のコンクリートブロックをはじめ上下左右が対称型のものが多く、土木関係には非対称型のものも多く含まれる。左右対称の形状をしている板状のコンクリートブロックの場合は、吊り上げ方向とコンクリートブロックの重心位置とのずれが小さいので、図４に記載の吊り具５０でもコンクリートブロックを安全に吊り上げることができる。
【０００８】
一方、非対称型のコンクリートブロックの場合は、吊り上げ方向とコンクリートブロックの重心位置とのずれが大きく、たとえば断面Ｌ型のコンクリートブロックの場合は、図４に記載の吊り具５０では、コンクリートブロックが吊り具本体５１に対していずれかの方向に倒れて吊り上げ作業ができなくなる。そこで従来は、図５に示すように、コンクリートブロック８１に設けられた貫通孔８２にワイヤ９１を係止し、ワイヤ９１とコンクリートブロック８１の上部との間に角材９２を挟んでコンクリートブロック８１の重心の移動による傾きを規制しながら、クレーンなどでワイヤ９１を引き上げることでコンクリートブロック８１を吊り上げる方法が採られていた。
【０００９】
しかしながら、このような方法では、ワイヤ９１を引き上げたときにコンクリートブロック８１が所定の姿勢（ほぼ垂直な姿勢あるいは設置面の傾斜に応じた傾斜姿勢）で吊り上げられるように角材９２の大きさや個数を調整することは厄介な作業であり、しかも吊り上げたときに角材９２が外れやすく、危険を伴う作業であった。
【００１０】
本発明が解決すべき課題は、非対称型のコンクリートブロック、とくに断面Ｌ型のコンクリートブロック用の吊り具において、吊り上げ時のコンクリートブロックの姿勢を規制するための機器を採用して安全な吊り上げ作業を可能とすることにある。
【００１１】
【課題を解決するための手段】
本発明のコンクリートブロック吊り具は、吊りビームと、この吊りビームに垂下された門型フレームと、この門型フレームの両縦部材の中間部にそれぞれ進退可能に設けられ先端が吊り上げ対象のコンクリートブロックに当接する当接部材と、両縦部材の下端部にそれぞれ設けられ吊り上げ対象のコンクリートブロックに形成された貫通孔に挿入される棒状体と、この棒状体の先端に係止される抜け止め部材とを備えた吊り具である。
【００１２】
このような構成とすることによって、Ｌ型ブロックのような非対称型のコンクリートブロックであっても、コンクリートブロックに当接する当接部材の進退調節により、コンクリートブロックを安定した状態で吊り上げることができる。
【００１３】
ここで、当接部材を、基端部に雄ねじを形成した棒状体とし、門型フレームの縦部材に設けた雌ねじ部に螺合させることによって縦部材から進退可能とする構成とすることができる。当接部材の進退調節は、図５で説明した従来法における角材の大きさや個数を調整することに相当するが、本発明の吊り具においては、当接部材は基端部が門型フレームの縦部材に固定されているので、当接部材をコンクリートブロックに当接させてコンクリートブロックを吊り上げた状態で当接部材が外れることはなく、安全にコンクリートブロックを吊り上げることができる。とくに、種々の寸法形状のコンクリートブロックを取り扱うときに、当接部材の進退を調節できるので、吊り上げ時のコンクリートブロックの微妙な姿勢調節も容易に行うことができる。
【００１４】
コンクリートブロックの貫通孔に挿入される棒状体は、コンクリートブロックを吊り上げるときにコンクリートブロックの２個の貫通孔に挿入し、先端に抜け止め部材を取り付ける。棒状体の抜け止め手段としては、たとえば、棒状体の先端部に雄ねじを形成し、抜け止め部材に雌ねじを形成して、コンクリートブロックの貫通孔に挿入した棒状体の先端から抜け止め部材を螺合させて締め付けることにより、棒状体が抜けないようにすることができる。
【００１５】
吊りビームから門型フレームを垂下させるには、ねじ付きロッドとターンバックルを組合せた吊り下げ用ロッドを用いるのが望ましい。吊りビームの両端部に設けた吊り下げ用ロッドの両方またはいずれか一方のターンバックルの調節により吊り下げ用ロッドの長さを調節することができるので、門型フレームを水平に、あるいは任意の傾きをもたせて姿勢を調節することができ、これによって吊り上げるときのコンクリートブロックがほぼ垂直な姿勢あるいは設置面の傾斜に応じた任意の傾斜姿勢となるように姿勢を調節して安定した状態で吊り上げることができる。
【００１６】
【発明の実施の形態】
図１は本発明の実施形態における吊り具の構造を示す正面図、図２は同吊り具の側面図であり、図３はコンクリートブロックの吊り上げ状態を示す図である。
【００１７】
本実施形態の吊り具１０は、クレーンの吊り金具などからワイヤＷにより吊り下げられる吊り具であり、吊りビーム１と、この吊りビーム１に吊り下げ用ロッド２を介して垂下された門型フレーム３と、この門型フレーム３の縦部材４の中間部に設けられた当接部材５と、縦部材４の下端部に設けられた棒状体６と、この棒状体６の先端に係止された抜け止め部材７とを備えた吊り具である。
【００１８】
吊りビーム１は、ビーム本体１１の両端部にそれぞれボルト・ナット１２ａ，１２ｂに吊り下げ用ロッド２を係止する。吊り下げ用ロッド２は、ターンバックル２１とねじ付きロッド２２ａ，２２ｂとからなり、吊りビーム１と門型フレーム３の間隔（吊り具１０の全体高さ）を調節可能としたものである。
【００１９】
門型フレーム３は、横部材３１の両端部にそれぞれ縦部材４を固定したもので、この縦部材４の中間部に、先端が吊り上げ対象のコンクリートブロックＣ（図３参照）に当接する当接部材５を進退可能に設け、縦部材４の下端部に、吊り上げ対象のコンクリートブロックＣに形成された貫通孔Ｈ（図３参照）に挿入する棒状体６を設けている。
【００２０】
当接部材５は、吊り具１０において重要な部材であり、本実施形態では当接部材５を、基端部に雄ねじを形成した棒状体５ａとして、門型フレーム３の縦部材４に設けた雌ねじ部５ｂに螺合させることによって縦部材４から進退可能とする構造としている。棒状体５ａの先端部５ｃは、棒状体５ａを回動５させるための把持部であり、コンクリートブロックＣと当接する最先端にはボール５ｄを回転自在に取り付けて、コンクリートブロックＣの立面Ｃａとの接触と互いの移動が円滑になるようにしている。当接部材５の進退調節は、図５で説明した従来法における角材の大きさや個数を調整することに相当するが、吊り具１０においては、当接部材５は棒状体５ａが門型フレーム３の縦部材４に固定されているので、当接部材５の最先端のボール５ｄをコンクリートブロックＣに当接させてコンクリートブロックＣを吊り上げた状態で当接部材５が外れることはなく、安全にコンクリートブロックＣを吊り上げることができる。とくに、種々の寸法形状のコンクリートブロックＣを取り扱うときに、当接部材５の進退を調節できるので、吊り上げ時のコンクリートブロックＣの微妙な姿勢調節も容易に行うことができる。
【００２１】
棒状体６は、先端部６ａに雄ねじを形成し、コンクリートブロックＣを吊り上げるときに、コンクリートブロックＣの貫通孔Ｈに挿入した棒状体６の先端から抜け止め部材７の鍔付きナット７ａを螺合させて締め付けることにより、棒状体６が貫通孔Ｈから抜けないようにしている。鍔付きナット７ａには、ナット回動のための把手７ｂが設けられている。
【００２２】
コンクリートブロックＣには通常、水抜き用に複数個の貫通孔Ｈが設けられており、吊り具１０の吊りビーム１の横幅および門型フレーム３の横幅を２個の貫通孔Ｈの間隔に対応した横幅とすることにより、コンクリートブロックＣを安全に吊り上げることができる。
【００２３】
この吊り具１０でコンクリートブロックＣを吊り上げたときのコンクリートブロックＣの姿勢は、吊り下げ用ロッド２の長さを揃えたときは、コンクリートブロックＣの横方向は水平となり、ターンバックルウ２１を操作して左右の吊り下げ用ロッド２の長さを変えた場合は、コンクリートブロックＣは横方向に傾斜した姿勢となる。吊り上げ時にコンクリートブロックＣを傾斜させるのは、コンクリートブロックＣの設置面が傾斜している場合に、傾斜面にコンクリートブロックＣを静かに降ろすことができるようにするためである。
【００２４】
吊り上げ時のコンクリートブロックＣの側面から見た姿勢は図３に示すように、当接部材５の進出量を調節することにより、底面Ｃｂが水平で背面Ｃｄが垂直となる姿勢に保持することができる。コンクリートブロックＣがＬ型の場合は、図３に示すような姿勢で吊り上げた場合は、コンクリートブロックＣは貫通孔Ｈの位置を中心として反時計方向に回動する力が働くが、立面Ｃａが当接部材５の最先端のボール５ｄに当接し、このときの互いの作用力のバランスにより、コンクリートブロックＣは一定の姿勢を維持することになる。
【００２５】
【発明の効果】
吊りビームと、この吊りビームに垂下された門型フレームと、この門型フレームの両縦部材の中間部にそれぞれ進退可能に設けられ先端が吊り上げ対象のコンクリートブロックに当接する当接部材と、両縦部材の下端部にそれぞれ設けられ吊り上げ対象のコンクリートブロックに形成された貫通孔に挿入される棒状体と、この棒状体の先端に係止される抜け止め部材とを備えた構成の吊り具とすることによって、Ｌ型ブロックのような非対称型のコンクリートブロックであっても、コンクリートブロックに当接する当接部材の進退調節により、コンクリートブロックを安定した状態で吊り上げることができる
【００２６】
前記の当接部材を、基端部に雄ねじを形成した棒状体とし、門型フレームの縦部材に設けた雌ねじ部に螺合させることによって縦部材から進退可能とする構成とすることにより、コンクリートブロックを吊り上げた状態で当接部材が外れることはなく、また、吊り上げ時のコンクリートブロックの微妙な姿勢調節も容易に行うことができる。
【００２７】
ねじ付きロッドとターンバックルを組合せた吊り下げ用ロッドを用いて吊りビームから門型フレームを垂下させる構成とすることにより、ターンバックルの調節によって吊り下げ用ロッドの長さを調節し、門型フレームを水平に、あるいは任意の傾きをもたせて姿勢を調節することができ、これによって吊り上げるときのコンクリートブロックがほぼ垂直な姿勢あるいは設置面の傾斜に応じた任意の傾斜姿勢となるように姿勢を調節することができる。
【図面の簡単な説明】
【図１】本発明の実施形態における吊り具の構造を示す正面図である。
【図２】図１の吊り具の側面図である。
【図３】図１の吊り具によるコンクリートブロックの吊り上げ状態を示す図である。
【図４】従来の吊り具の一例を示す図である。
【図５】非対称型ブロックの吊り上げ方法の説明図である。
【符号の説明】
１　吊りビーム
１１　ビーム本体
１２ａ，１２ｂ　ボルト・ナット
２　吊り下げ用ロッド
２１　ターンバックル
２２ａ，２２ｂ　ねじ付きロッド
３　門型フレーム
３１　横部材
４　縦部材
５　当接部材
５ａ　棒状体
５ｂ　雌ねじ部
５ｃ　把持部
５ｄ　ボール
６　棒状体
６ａ　先端部
７　抜け止め部材
７ａ　鍔付きナット
７ｂ　把手
１０　吊り具
１１　ビーム本体
１２ａ，１２ｂ　吊り輪
Ｃ　コンクリートブロック
Ｃａ　立面
Ｃｂ　底面
Ｃｄ　背面
Ｈ　貫通孔
Ｗ　ワイヤ
【図１】
2004115187.tif 000003
【図２】
2004115187.tif 000004
【図３】
2004115187.tif 000005
【図４】
2004115187.tif 000006
【図５】
2004115187.tif 000007